(57)【要約】  本発明は、包みシートの連続ウェブから、衛生物品のための包み材料を形成するための方法を提供する。各々の包みシートは内面と外面とを有し、内面は、内側縁部と外側縁部とを備える縁帯域を備える。包みシートは、包みシートを第１の領域と第２の領域とに分割する少なくとも１つの第１の折り畳み軸を有する。第１の領域は第１の中央部を備え、第２の領域は第２の中央部を備える。本発明による方法は、ａ．第１の領域の縁帯域の内側縁部および外側縁部の一方に第１の再封止可能な接着剤を提供するステップであって、そのため、第１の領域の縁帯域の内側縁部および外側縁部の他方には接着剤がない、ステップと、ｂ．第２の領域の縁帯域の内側縁部および外側縁部の一方に第１の再封止可能な接着剤を提供するステップであって、そのため、第２の領域の縁帯域の内側縁部および外側縁部の他方には、第１の領域の縁帯域と相補的なように接着剤がない、ステップと、ｃ．第１の領域の第１の中央部および第２の領域の第２の中央部の少なくとも一方に第２の接着剤を提供するステップと、を含み、ステップａ〜ｃは同時に実施される。
2017524409.tif 000002
【特許請求の範囲】
【請求項１】
包みシート（１、１００、２００）の連続ウェブから、衛生物品のための包み材料を形成するための方法であって、各々の包みシート（１、１００、２００）が内面（２、１０２、２０２）と外面（３、１０３、２０３）とを有し、前記内面（２、１０２、２０２）が、内側縁部（５、１０５、２０５、８、１０８、２０８）と外側縁部（６、１０６、２０６、７、１０７、２０７）とを備える縁帯域（４、１０４、２０４）を備え、前記包みシート（１、１００、２００）が、少なくとも１つの第１の折り畳み軸（９、１０９、２０９）を有し、前記第１の折り畳み軸（９、１０９、２０９）が前記包みシート（１、１００、２００）を第１の領域（１０、１１０、２１０）と第２の領域（１１、１１１、２１１）とに分割し、前記第１の領域（１０、１１０、２１０）が第１の中央部を備え、前記第２の領域（１１、１１１、２１１）が第２の中央部を備え、
前記方法は、
ａ．前記第１の領域（１０、１１０、２１０）の前記縁帯域の前記内側縁部（５、１０５、２０５）および前記外側縁部（６、１０６、２０６）の一方に第１の再封止可能な接着剤（１２）を提供するステップであって、そのため、前記第１の領域（１０、１１０、２１０）の前記縁帯域の前記内側縁部（５、１０５、２０５）および前記外側縁部（６、１０６、２０６）の他方には接着剤がない、ステップａと、
ｂ．前記第２の領域（１１、１１１、２１１）の前記縁帯域の前記内側縁部（８、１０８、２０８）および前記外側縁部（７、１０７、２０７）の一方に第１の再封止可能な接着剤（１２）を提供するステップであって、そのため、前記第２の領域（１１、１１１、２１１）の前記縁帯域の前記内側縁部（８、１０８、２０８）および前記外側縁部（７、１０７、２０７）の他方には、前記第１の領域（１０）の前記縁帯域と相補的なように接着剤がない、ステップｂと、
ｃ．前記第１の領域（１０、１１０、２１０）の前記第１の中央部および前記第２の領域（１１、１１１、２１１）の前記第２の中央部の少なくとも一方に第２の接着剤（１３）を提供するステップｃと、
を含み、
前記ステップａ〜ｃが同時に実施されることを特徴とする方法。
【請求項２】
ｄ．包みに面する面（１６、１１６、２１６）と使用者に面する面（１７、１１７、２１７）とを有する剥離ライナ（１５、１１５、２１５）を提供するステップと、
ｅ．前記剥離ライナ（１５、１１５、２１５）の前記包みに面する面（１６、１１６、２１６）の少なくとも一部分が、前記第２の接着剤（１３）を備える少なくとも前記第１の中央部および前記第２の中央部において、前記第２の接着剤（１３）を用いて、前記包みシート（１、１００、２００）の前記内面（２、１０２、２０２）に恒久的に付着されることになるように、前記剥離ライナ（１５、１１５、２１５）の前記包みに面する面（１６、１１６、２１６）を前記包みシート（１、１００、２００）の前記内面（２、１０２、２０２）と接触させるステップｄと、
をさらに含む、請求項１に記載の方法。
【請求項３】
ｆ．衛生物品（１８、１１８、２１８）を前記剥離ライナ（１５、１１５、２１５）の前記使用者に面する面（１７、１１７、２１７）に解放可能に固定するステップｆをさらに含む、請求項２に記載の方法。
【請求項４】
ステップｆがステップｅの前に行われる、請求項１から３のいずれか一項に記載の方法。
【請求項５】
ｇ．剥離ライナの使用者に面する面（１７、１１７、２１７）に第３の再封止可能な接着剤を提供するステップをさらに含み、
ステップｇがステップｆの前に行われる、請求項１から４のいずれか一項に記載の方法。
【請求項６】
ｈ．前記第１の領域（１０、１１０、２１０）において前記第１の再封止可能な接着剤を担持する縁部が前記第２の領域（１１、１１１、２１１）において前記接着剤のない縁部と接触させられ、前記第２の領域（１１、１１１、２１１）において前記第１の再封止可能な接着剤を担持する縁部が前記第１の領域（１０、１１０、２１０）において前記接着剤のない縁部と接触させられるように、前記包みシート（１、１００、２００）を前記第１の折り畳み軸（９、１０９、２０９）周りで折り畳むステップｈをさらに含む、請求項１から５のいずれか一項に記載の方法。
【請求項７】
前記包みシート（１００、２００）が、前記シートを前記第１の領域（１１０、２１０）と前記第２の領域（１１１、２１１）と第３の領域（１１２、２１２）とに分割する第１および第２の折り畳み軸（１０９、１０９’、２０９、２０９’）を有し、前記方法が、
ｉ．前記第３の領域（１１２、２１２）の前記縁帯域の一部分（１０５’、２０５’、１０６’、２０６’）に前記第１の再封止可能な接着剤（１２）を提供するステップと、
ｊ．前記第３の領域（１１２、２１２）の前記内面が前記第１の領域（１１０、２１０）の前記外面と接触させられるように、前記包みシートを前記第２の折り畳み軸（１０９’、２０９’）周りで折り畳むステップｉと、
をさらに含み、
ステップｉがステップａ〜ｃと同時に実施され、ステップｊがステップｈの後に実施される、請求項１から６のいずれか一項に記載の方法。
【請求項８】
材料の前記シートが実質的に長方形のものであり、長手方向縁と、第１および第２の横断縁と、角部とを備え、材料の前記シートの前記第１および第２の領域の前記縁帯域が前記長手方向縁に沿って配置され、横断縁帯域が前記第１および第２の横断縁に沿って配置される、請求項１から７のいずれか一項に記載の方法。
【請求項９】
ｋ．前記包みシート（２００）の前記第１および第２の横断縁帯域（２０４’）の少なくとも一方に前記第１の再封止可能な接着剤（１２）を提供するステップｋをさらに含む、請求項８に記載の方法。
【請求項１０】
ステップｋが前記ステップａ〜ｃと同時に実施される、請求項９に記載の方法。
【請求項１１】
前記角部のうちの少なくとも１つが、把持タブが形成されるように接着剤のない、請求項８から１０のいずれか一項に記載の方法。
【請求項１２】
前記第１の再封止可能な接着剤（１２）および前記第３の再封止可能な接着剤が感圧ホットメルト接着剤であり、前記第２の接着剤（１３）が構造用接着剤である、請求項１から１１のいずれか一項に記載の方法。
【請求項１３】
前記剥離ライナ（１５、１１５、２１５）が、紙、不織布、またはプラスチック膜材料から製造される、請求項２から１２のいずれか一項に記載の方法。
【請求項１４】
前記剥離ライナ（１５、１１５、２１５）が、前記剥離ライナ（１５、１１５、２１５）の使用者に面する面（１７、１１７、２１７）においてシリコン被覆される、請求項２から１３のいずれか一項に記載の方法。
【請求項１５】
前記剥離ライナ（１５、１１５、２１５）の長手方向の延長が、前記包みシート（１、１００、２００）の長手方向の延長の６０〜１００％である、請求項２から１４のいずれか一項に記載の方法。
【請求項１６】
前記シート（１、１００、２００）および／または前記剥離ライナ（１５、１１５、２１５）が、不透明である、および／または、印刷を含む、請求項１から１５のいずれか一項に記載の方法。
【発明の詳細な説明】
【技術分野】
【０００１】
本発明は、新たな衛生物品を包装するとき、および使用済みの衛生物品の廃棄のときに、包みシートが、密封された包装をもたらす、衛生物品のための包みシートを形成するための方法に関する。
【背景技術】
【０００２】
生理用ナプキンおよび下り物シートなどの廃棄可能な衛生物品は、通常、例えばシングルラップ（ｓｉｎｇｌｅ  ｗｒａｐ）またはクイックラップ（ｑｕｉｃｋ  ｗｒａｐ）において、個別に包装される。シングルラップは、プラスチック膜などの材料のシートから形成される。衛生物品の衣服に面する側に提供される衣服固定接着剤が、シングルラップ材料によって捕らえられるのを防止するために、衣服固定接着剤は、衣服固定接着剤に対して小さい接着力を有する材料から形成された剥離ライナによって、通常保護されている。衣服に衛生物品を配置する前に、使用者は、シングルラップ材料を除去し、続いて剥離ライナを除去する必要があり、それにより衣服固定接着剤を露出する。シングルラップを用いることは、衛生物品を取り扱う間、追加のステップを導入する欠点を有する。この欠点を克服するために、例えば構造用接着剤を用いて、剥離紙が恒久的に付着されるシングルラップであるクイックラップが提供され、これは、シングルラップと剥離ライナが共に一回のステップで除去されることを意味する。
【０００３】
個別の包装は、例えばハンドバッグにおいて、将来の使用のための単一の物品の衛生的な持ち運びを容易にする。個別の包装の縁は、超音波溶接または加熱溶接を用いて、しばしば封止される。さらに、包装ユニットは、未使用の物品を包装するための手段として、また使用済みの物品の廃棄のための手段としてしばしば使用される。
【０００４】
この種類の使用済みの物品は、個別に衛生的に廃棄できることが望ましい。これは、使用済みの物品が交換された直後に使用者が使用済みの物品を廃棄することができないとき、例えばトイレの場所に利用可能な廃棄物の入れ物がないとき、特に重要であり得る。この場合、使用者は、例えばハンドバッグまたはバックパックに、使用済みの物品を入れる必要があり得るが、これは、汚れや臭いを回避するために、包装を適切に封止することを必要とする。
【０００５】
廃棄の問題に対処する１つの解決策が特許文献１において提案されており特許文献１は、シートを第１の領域と第２の領域とに分割する少なくとも１つの折り畳み軸を有するシートから形成される包みシートを記載している。第１の領域の内面は内側縁部と外側縁部とを備え、それら縁部の一方は接着剤が提供され、それら縁部の他方には接着剤がない。さらに、第２の領域の内側縁部および外側縁部の一方には、第１の領域と相補的なように、接着剤が提供されるか、または、接着剤がない。したがって、シートが折り畳み軸の周りで折り畳まれるとき、第１の領域に接着剤を担持する縁部は、第２の領域の接着剤のない縁部と接触させられ、第２の領域に接着剤を担持する縁部は、第１の領域の接着剤のない縁部と接触させられる。特許文献１で開示されている包みシートは、新たな衛生物品を包装するときと、包みシートが汚れた衛生物品の廃棄のために使用されるときの両方で、向上された封止を提供する。
【０００６】
しかしながら、特許文献１に記載されている包みシートの製造工程は、接着剤帯域の存在によって悪影響を受け得ることが示され得る。例えば、特許文献１の包みシートがクイックラップであるとき、包みシート縁部に配置された接着剤は、クイックラップの剥離ライナを配置するステップに否定的な影響を有し得る。
【先行技術文献】
【特許文献】
【０００７】
【特許文献１】国際公開第２０１３／１６２４３０号
【発明の概要】
【発明が解決しようとする課題】
【０００８】
したがって、新たな衛生物品を包装するためと、使用済みの衛生物品の衛生的な維持および廃棄のための両方で使用でき、美的訴求力があり、製造を容易にする包みシートを形成するための方法に対する要求がある。
【課題を解決するための手段】
【０００９】
本発明は、前述の包装ユニットを形成するための方法の欠点を実質的に排除する、衛生物品のための包みシートを形成するための方法を提供する。
【００１０】
本発明は、新たな物品と使用済みの物品の両方のためのぴったりとした包装を形成する可能性を提供する、包みシートを形成するための方法を提供し、それにより新たな物品を使用前に衛生的および清浄に保ち、使用済みの物品が包装されるときに汚れ、および、臭いの危険性を排除する。本発明の方法に従って製造された包みシートは、開くのも再封止するのも容易であり、美的訴求力があり、容易にされた製造を提供する。
【００１１】
本明細書で使用されているように、「内面」という用語は、包装ユニットの内側に位置決めされる製品に面する包みシートの面に言及しており、「外面」という用語は、内面と反対の面、つまり、周囲環境に面する面に言及している。
【００１２】
「縁帯域」という用語によって、包装ユニットの縁に隣接する包みシートの部分が意味されている。縁帯域の幅は変わってもよい。
【００１３】
「内側縁部」という用語は、包装ユニットの中心線に向かって位置決めされる縁帯域の部分に言及している。
【００１４】
「外側縁部」という用語は、包装ユニットの縁に向かって位置決めされる縁帯域の部分に言及している。
【００１５】
「中央部」という用語は、縁帯域を除く包みシートの部分に言及している。
【００１６】
「単層」という用語によって、首尾一貫した材料の単一の層を含む包みシートが意味されている。単層包みシートの例は、ポリエチレン膜などのプラスチック膜、不織材料、金属箔などであり得る。単層材料は、統合された層を含むプラスチック膜材料などの非同種の材料、または、異なる材料の部分で異なる繊維組成を有する不織材料であり得る。本明細書で使用されているような単層材料は、分離可能な層を有する材料を含まない。
【００１７】
「積層」という用語によって、包みシートが、同じまたは異なる可能性のある少なくとも２つの合体された分離可能な材料の層を備えることが意味されている。本発明の文脈において、積層は、例えば、２つの分離可能なプラスチック膜の層、膜および不織布、２つの不織布の層、または同種のものから構成され得る。
【００１８】
「恒久的に付着される」という用語によって、２つの表面が、いずれかの表面または両方の表面に影響することなく接触を破壊することが可能ではないように互いとの接触にあることが意味されている。
【００１９】
「解放可能に固定される」は、２つの表面が、結合が表面に影響することなく容易に破壊され得るように互いと結合されることを意味している。
【００２０】
「再封止可能な接着剤」という用語によって、２つの接着面の間に非恒久的な接着結合、つまり、接着に引っ張り力を加えることで分けられ、接着に押し付け力を加えることで再現され得る結合を、提供する接着剤が意味されている。
【００２１】
本発明による方法は、包みシートの連続ウェブから、衛生物品のための包み材料を形成するのに適している。各々の包みシートは内面と外面とを有し、内面は、内側縁部と外側縁部とを備える縁帯域を備える。包みシートは、包みシートを第１の領域と第２の領域とに分割する少なくとも１つの第１の折り畳み軸を有し、第１の領域は第１の中央部を備え、第２の領域は第２の中央部を備える。
【００２２】
本発明による方法は、
ａ．第１の領域の縁帯域の内側縁部および外側縁部の一方に第１の再封止可能な接着剤を提供するステップであって、そのため、第１の領域の縁帯域の内側縁部および外側縁部の他方には接着剤がない、ステップと、
ｂ．第２の領域の縁帯域の内側縁部および外側縁部の一方に第１の再封止可能な接着剤を提供するステップであって、そのため、第２の領域の縁帯域の内側縁部および外側縁部の他方には、第１の領域の縁帯域と相補的なように接着剤がない、ステップと、
ｃ．第１の領域の第１の中央部および第２の領域の第２の中央部の少なくとも一方に第２の接着剤を提供するステップと
を含む。
【００２３】
ステップａ〜ｃが同時に実施される。別の言い方をすれば、第１の再封止可能な接着剤と第２の接着剤とが、単一の製造ステップとして同時に適用される。これは、製造工程が容易にされ、縁帯域における第１の再封止可能な接着剤の存在によって影響される製造順序の続くステップの危険性が最小限とされるため、非常に有利である。
【００２４】
接着剤で被覆された縁部の幅は、望まれる接着剤の強度に依存して異なってもよい。接着剤で被覆された縁帯域がより幅広になると、封止がより強くなる。接着剤で被覆された縁部の幅は、異なる領域において、同じであってもよく、または、異なってもよい。
【００２５】
好ましくは、各々の領域における接着剤で被覆された縁部の長さは、各々の領域の長さと等しい。また、各々の領域における接着剤で被覆された縁部の長さは、各々の領域の長さより短くてもよい。
【００２６】
第１および／または第２の中央部全体に、第２の接着剤が提供されてもよい。好ましくは、第１および／または第２の中央部の一部分のみに、第２の接着剤が提供される。このような実施形態は、第２の接着剤の消費を最小限にし、結果的に製造コストを最小限にする利点を有する。さらに、第１および／または第２の中央部の一部分のみに第２の接着剤が提供される場合、続く製造ステップに影響を与える第２の接着剤の危険性が最小限にされるため、製造は容易にされる。
【００２７】
本発明による方法は、
ｄ．包みに面する面と使用者に面する面とを有する剥離ライナを提供するステップと、
ｅ．剥離ライナの包みに面する面の少なくとも一部分が、第２の接着剤を備える少なくとも第１の中央部および第２の中央部において、第２の接着剤を用いて、包みシートの内面に恒久的に付着されることになるように、剥離ライナの包みに面する面を包みシートの内面と接触させるステップと
をさらに含み得る。
【００２８】
剥離ライナは、紙、不織布、またはプラスチック膜材料など、当業者に知られている任意の適切な材料から製造され得る。さらに、衛生物品の衣服に面する面に存在し得る衣服固定接着剤から容易に取り外し可能である剥離ライナを提供するために、剥離ライナは、剥離ライナの使用者に面する面において、シリコン被覆されてもよい。
【００２９】
剥離ライナは、包装ユニット内部の衛生物品と実質的に同じ形を有してもよい、または、衛生物品の形と異なる形を有してもよい。剥離ライナの大きさは異なってもよい。好ましくは、剥離ライナの長手方向の延長が、包みの長手方向の延長の６０〜１００％である。剥離ライナの長手方向の延長が、包みの長手方向の延長の３０〜９０％であってもよい。
【００３０】
剥離ライナは、文字、図形、またはそれらの組み合わせの形態で、印刷をさらに含んでもよい。印刷は、剥離ライナの使用者に面する面に、剥離ライナの包みに面する面に、または、剥離ライナの使用者に面する面と包みに面する面の両方に、配置され得る。
【００３１】
剥離ライナの一部分が包みの内面の一部分に付着されて、それによってその一部分と接触していることは、十分である。したがって、剥離ライナの一部分だけが、第２の接着剤が提供されている包みの内面の中央部に付着されてもよい。代替で、剥離ライナの包みに面する面全体が包みシートの内面に付着されてもよい。好ましくは、剥離ライナの２つまたは３つの部分が包みの内面に付着され、包みの内面に付着される剥離ライナの包みに面する面の部分は、剥離ライナの長手方向に沿って離間される。剥離ライナは、第２の接着剤を用いて包みに恒久的に付着される。第２の接着剤は、構造用接着剤など、当業者に知られている任意の種類のものであり得る。
【００３２】
本発明による方法は、
ｆ．衛生物品を剥離ライナの使用者に面する面に解放可能に固定するステップをさらに含み得る。
【００３３】
衛生物品は、第３の再封止可能な接着剤を用いて、または、例えば面ファスナ手段といった、当業者に知られている任意の他の適切な留め付け手段によってのいずれかで、剥離ライナに解放可能に固定されてもよい。
【００３４】
衛生物品は、剥離ライナが包みシートの内面に恒久的に付着された後に剥離ライナの使用者に面する面に解放可能に固定されてもよく、つまり、ステップｆはステップｅの後に行われる。代替で、衛生物品は、剥離ライナが包みシートの内面に恒久的に付着される前に剥離ライナの使用者に面する面に解放可能に固定されてもよく、つまり、ステップｆはステップｅの前に行われる。
【００３５】
前述したように、衛生物品は、第３の再封止可能な接着剤を用いて、剥離ライナに解放可能に固定されてもよい。したがって、本発明による方法は、
ｇ．剥離ライナの使用者に面する面に第３の再封止可能な接着剤を提供するステップをさらに含んでもよく、
ステップｇがステップｆの前に行われる。
【００３６】
衛生物品が、包みシートの内面に恒久的に付着される剥離ライナに配置された後、包みシートは、衛生物品周りでぴったりとした包装を形成するために折り畳まれ得る。本発明による方法は、
ｈ．第１の領域における第１の再封止可能な接着剤を担持する縁部が第２の領域における接着剤のない縁部と接触させられ、第２の領域における第１の再封止可能な接着剤を担持する縁部が第１の領域における接着剤のない縁部と接触させられるように、包みシートを第１の折り畳み軸周りで折り畳むステップをさらに含み得る。
【００３７】
包みシート共に使用される第１の再封止可能な接着剤は、非常に大きな自己接着性を有するが、剥離剤で処理されているプラスチック材料または紙などの他の材料から容易に分離または剥離され得るものである。包みシートが折り畳まれるとき、本発明の包みシートの接着剤で被覆された縁部は互いと接触していないため、包みシートは容易に開いて再封止でき、ぴったりとした廃棄パッケージを提供する。同時に、本発明の接着剤パターンを用いる包みシートの接着剤で封止された縁の引張強度は、新たな物品と使用済みの物品の両方についてぴったりとした包装を提供するのに十分であると共に、容易に開かれる包装を提供するだけの小ささである。
【００３８】
包みシートの幾何学的形状は、包装される衛生物品の種類に依存して異なってもよい。包みシートは、円形、三角形、正方形、長方形、または、包装される衛生物品にとって適した任意の他の形であり得る。しかしながら、包みシートは少なくとも１つの対称軸を有することが望ましい。
【００３９】
前述したように、包みシートは、少なくとも１つの折り畳み軸を備える。折り畳み軸の数は、包みシートがどのように折り畳まれるように意図されているかに依存して、異なってもよい。包みシートが１つから３つまでの折り畳み軸を備えることが好ましい。
【００４０】
包みシートを形成するための材料の包みシートの広がっている形は、正方形または長方形である。本発明によるこのような包みシートは、長手方向縁、第１の横断縁、および第２の横断縁としてここでは言及される側縁と、角部とを有し、材料の包みシートの第１および第２の領域の縁帯域は、長手方向縁に沿って配置される。したがって、第１の再封止可能な接着剤で覆われる縁部と、接着剤のない縁部とは、長手方向縁に沿って位置決めされる。好ましくは、外側縁部に配置される再封止可能な接着剤は、シートの長手方向縁までずっと延びるように位置決めされる。
【００４１】
第１の横断縁帯域は、第１の領域の横断縁に設けられる。第２の横断縁帯域の位置決めは、折り畳み軸の数に依存する。包みシートが１つの折り畳み軸を備えるとき、第２の横断縁帯域は第２の領域の横断縁に配置される。包みシートが２つの折り畳み軸を備えるとき、第２の横断縁帯域は第３の領域の横断縁に配置され、以下同じように続く。
【００４２】
包みシートは、シートを第１の領域と第２の領域と第３の領域とに分割する第１の折り畳み軸と第２の折り畳み軸とを有してもよい。このような実施形態では、本発明による方法は、
ｉ．第３の領域の縁帯域の一部分に第１の再封止可能な接着剤を提供するステップと、
ｊ．第３の領域の内面が第１の領域の外面と接触させられるように、包みシートを第２の折り畳み軸周りで折り畳むステップと
をさらに含み得る。
【００４３】
好ましくは、ステップｉはステップａ〜ｃと同時に実施され、つまり、第１の再封止可能な接着剤は、第２の接着剤が第１および第２の領域の少なくとも中央部に適用されるのと同時に、すべての３つの領域の縁部に適用される。また、ステップｉは、ステップａ〜ｃの後であるがステップｄの前に行われ得る。第１の再封止可能な接着剤は、第３の領域の内側縁部および外側縁部のいずれに配置されてもよい。
【００４４】
ステップｊはステップｈの後に実施されてもよく、つまり、折り畳みは、第１の折り畳み軸の周りで開始される。第１の再封止可能な接着剤が、第２の領域の接着剤を担持する縁部に対応する第３の領域の縁部に配置される場合、折り畳みの順番は逆にされてもよく、つまり、ステップｊがステップｈの前に実施されてもよい。したがって、折り畳みは、第２の折り畳み軸の周りで開始されてもよく、第３の領域における第１の再封止可能な接着剤を担持する部分を、第２の領域における接着剤のない縁部部分と接触させ、第２の領域における第１の再封止可能な接着剤を担持する縁部を、第３の領域における接着剤のない縁部部分と接触させる。
【００４５】
本発明による方法は、
ｋ．包みシートの横断縁帯域のうちの少なくとも一方に第１の再封止可能な接着剤を提供するステップをさらに含んでもよく、
ステップｋが、好ましくは、ステップａ〜ｃと同時に実施される。
【００４６】
好ましくは、包みシートの第１の領域の第１の横断縁帯域に第１の再封止可能な接着剤が提供され、一方、包みシートの第２の横断縁帯域には接着剤がない。包みシートが１つの折り畳み軸を備えるとき、第１の領域の第１の横断縁帯域の一部分に第１の再封止可能な接着剤が提供され、一方、第１の領域の第１の横断縁帯域の残りの部分には接着剤がなく、第２の領域の第２の横断縁帯域の一部分に第１の接着剤が提供され、一方、第２の領域の第２の横断縁帯域の残りの部分には、第１の領域の横断縁帯域と相補的なように接着剤がないことが考えられる。したがって、包みが第１の折り畳み軸の周りで折り畳まれるとき、第１の領域に第１の再封止可能な接着剤を担持する横断縁部は、第２の領域の接着剤のない横断縁部と接触させられ、第２の領域に第１の再封止可能な接着剤を担持する横断縁部は、第１の領域の接着剤のない横断縁部と接触させられる。また、包みシートの第１の横断縁帯域と第２の横断縁帯域は共に、包みシートが少なくとも２つの折り畳み軸を備えるとき、第１の再封止可能な接着剤が提供され得る。
【００４７】
開くのを容易にするために、角部のうちの少なくとも１つは、把持タブが形成されるように第１の再封止可能な接着剤がなくてもよい。
【００４８】
第１再封止可能な接着剤および第３の再封止可能な接着剤は、Ｈ．  Ｂ．  Ｆｕｌｌｅｒから入手可能なＬｕｎａｔａｃｋ（登録商標）Ｄ６５６  ＢＤ  １９など、感圧接着剤であってよく、第２の接着剤は構造用接着剤であってよい。
【００４９】
包みシートおよび／または剥離ライナは、不透明であってよい、および／または、印刷を含んでもよい。
【００５０】
包みシートを形成するための包みシートは、ポリエチレン膜または不織布など、当業者に知られている任意の適切な材料の単層のシートとすることができる。包みシートは、少なくとも２つの区別できる層を含む積層であってもよい。衛生物品の包装に適した積層は、当業者に知られていると考えられ、本発明について限定する任意の形ではない。
【００５１】
本発明による包みシートを形成する材料の包みシートは、臭い抑制物質または臭い中和物質を含んでもよい。このような物質は、例えば、被覆、活性化可能カプセル、含浸パッチなど、当業者に知られている任意の適切な手法で適用できる。さらに、このような物質は、使用者促進装置の上または中に配置されてもよい。好ましくは、このような物質は、追加の材料についての要求を回避するために、使用者促進装置内に組み込まれる。
【００５２】
本発明による包みシートを形成するための包みシートが伸縮可能または拡張可能であり得ることが考えられ、これは、衛生物品が使用中に大きく変形される場合、有利とでき、したがって、包装ユニットを変形することなく包むのは困難であり得る。
【図面の簡単な説明】
【００５３】
【図１】本発明の方法のステップａ〜ｃを描写する図である。
【図２】本発明の方法のステップｄ〜ｅを示す図である。
【図３】本発明の方法のステップｆを示す図である。
【図４】本発明の方法のステップａ〜ｃおよびｉを描写する図である。
【図５】本発明の方法のステップｅおよびｆを、ステップｆがステップｅの前に行われる形で示す図である。
【図６】本発明の方法のステップａ〜ｃおよびｉを示す図である。
【図７】本発明の方法のステップｋを描写する図である。
【図８】本発明の方法のステップｅおよびｆを、ステップｆがステップｅの前に行われる形で示す図である。
【発明を実施するための形態】
【００５４】
図１〜図３は、本発明による方法の可能な一実施形態を示している。図１は、包みシートの連続ウェブから、衛生物品のための包み材料を形成するための本発明の方法のステップａ〜ｃを描写している。各々の包みシート１は内面２と外面３とを有し、内面は、内側縁部５、８と外側縁部６、７とを備える縁帯域４を備えている。包みシート１は、包みシート１を第１の領域１０と第２の領域１１とに分割する１つの第１の折り畳み軸９を有し、第１の領域１０は第１の中央部を備え、第２の領域１１は第２の中央部を備えている。本発明の方法によれば、同時に実施され、図１に示されているステップａ〜ｃは、
ａ．第１の領域１０の縁帯域の外側縁部６に第１の再封止可能な接着剤１２を提供するステップであって、そのため、第１の領域１０の縁帯域の内側縁部５には接着剤がない、ステップと、
ｂ．第２の領域１１の縁帯域の内側縁部８に第１の再封止可能な接着剤１２を提供するステップであって、そのため、第２の領域１１の縁帯域の外側縁部７には、第１の領域１０の縁帯域と相補的なように接着剤がない、ステップと、
ｃ．第１の領域１０の第１の中央部に第２の接着剤１３を提供するステップと
である。
【００５５】
次に、包みシートの連続ウェブは製造順序の次のステップへと移される。図２によれば、製造順序における次のステップは、ステップｄおよびｅであり、ステップｄでは、包みに面する面１６と使用者に面する面１７とを有する剥離ライナ１５が提供される。ステップｅでは、剥離ライナ１５の包みに面する面１６の一部分が、第２の接着剤１３を備える第１の中央部において、第２の接着剤１３を用いて、包みシート１の内面２に恒久的に付着されることになるように、剥離ライナ１５の包みに面する面１６が包みシート１の内面２と接触させられる。
【００５６】
さらに、衛生物品１８が、本発明の方法のステップｆによれば（図３）、剥離ライナ１５の使用者に面する面１７に解放可能に固定される。次に、包みシートの連続ウェブは、本発明の方法のステップｈに従って、折り畳み軸９周りで折り畳まれ、切断軸１４に沿って切断され、したがって、密封されて個別に包まれた衛生物品を形成する（図示せず）。
【００５７】
本発明による方法の代替の実施形態が、図４および図５に示されている。図４は、本発明の方法のステップａ〜ｃおよびｉを描写しており、ステップは同時に実施され、
ａ．第１の領域１１０の縁帯域の外側縁部１０６に第１の再封止可能な接着剤１２を提供するステップであって、そのため、第１の領域１１０の縁帯域の内側縁部１０５には接着剤がない、ステップと、
ｂ．第２の領域１１１の縁帯域の内側縁部１０８に第１の再封止可能な接着剤１２を提供するステップであって、そのため、第２の領域１１１の縁帯域の外側縁部１０７には、第１の領域１１０の縁帯域と相補的なように接着剤がない、ステップと、
ｉ．第１の領域１１０の縁帯域の接着剤を担持する外側縁部１０６に対応する第３の領域１１２の縁帯域の外側縁部１０６’に第１の再封止可能な接着剤１２を提供するステップであって、そのため、第３の領域１１２の縁帯域の内側縁部１０５’には接着剤がない、ステップと、
ｃ．第１の領域１１０、第２の領域１１１、および第３の領域１１２の中央部に第２の接着剤１３を提供するステップとである。
【００５８】
次に、包みシートの連続ウェブは製造順序の次のステップへと移される。図５によれば、製造順序における次のステップは、ステップｄ〜ｆであり、ステップｆがステップｅの前に実施される。したがって、ステップｄでは、包みに面する面１１６と使用者に面する面１１７とを有する剥離ライナ１１５が提供される。衛生物品１８が、本発明の方法のステップｆによれば、剥離ライナ１１５の使用者に面する面１１７に解放可能に固定される。剥離ライナ１１５の包みに面する面１１６の一部分が、第２の接着剤１３を備える中央部において、第２の接着剤１３を用いて、包みシート１００の内面１０２に恒久的に付着されることになるように、剥離ライナ１１５の包みに面する面１１６が、ステップｅに従って、包みシート１００の内面１０２と続いて接触させられる。
【００５９】
前述と類似して、包みシートの連続ウェブは、本発明の方法のステップｈおよびｊに従って、第１の折り畳み軸１０９および第２の折り畳み軸１０９’周りで折り畳まれ、切断軸１４に沿って切断され、したがって、密封されて個別に包まれた衛生物品を形成する（図示せず）。
【００６０】
本発明による方法のなおも代替の実施形態が、図６〜図８に示されている。図６は、本発明の方法のステップａ〜ｃおよびｉを描写しており、ステップは同時に実施され、
ａ．第１の領域２１０の縁帯域の外側縁部２０６に第１の再封止可能な接着剤１２を提供するステップであって、そのため、第１の領域２１０の縁帯域の内側縁部２０５には接着剤がない、ステップと、
ｂ．第２の領域２１１の縁帯域の内側縁部２０８に第１の再封止可能な接着剤１２を提供するステップであって、そのため、第２の領域２１１の縁帯域の外側縁部２０７には、第１の領域２１０の縁帯域と相補的なように接着剤がない、ステップと、
ｉ．第１の領域２１０の縁帯域の接着剤を担持する外側縁部２０６に対応する第３の領域２１２の縁帯域の外側縁部２０６’に第１の再封止可能な接着剤１２を提供するステップであって、そのため、第３の領域２１２の縁帯域の内側縁部２０５’には接着剤がない、ステップと、
ｃ．第１の領域２１０、第２の領域２１１、および第３の領域２１２の中央部に第２の接着剤１３を提供するステップとである。
【００６１】
次に、包みシート２００の連続ウェブは製造順序の次のステップへと移される。図７によれば、図６〜図８に示した実施形態による製造順序の次のステップはステップｋであり、つまり、包みシート２００の第１の横断縁帯域２０４’に第１の再封止可能な接着剤１２を提供する。前述したように、ステップｋはステップａ〜ｃと同時に実施され得る。
【００６２】
図８によれば、製造順序における続いてのステップは、ステップｄ〜ｆであり、ステップｆがステップｅの前に実施される。したがって、ステップｄでは、包みに面する面２１６と使用者に面する面２１７とを有する剥離ライナ２１５が提供される。衛生物品２１８が、本発明の方法のステップｆによれば、剥離ライナ２１５の使用者に面する面２１７に解放可能に固定される。剥離ライナ２１５の包みに面する面２１６の一部分が、第２の接着剤１３を備える中央部において、第２の接着剤１３を用いて、包みシート２００の内面２０２に恒久的に付着されることになるように、剥離ライナ２１５の包みに面する面２１６が、本発明の方法のステップｅに従って、包みシート２００の内面２０２と続いて接触させられる。
【００６３】
前述と類似して、包みシートの連続ウェブは、本発明の方法のステップｈおよびｊに従って、第１の折り畳み軸２０９および第２の折り畳み軸２０９’周りで折り畳まれ、切断軸１４に沿って切断され、したがって、密封されて個別に包まれた衛生物品を形成する（図示せず）。
【００６４】
本発明が様々な実施形態を参照して記載されてきたが、当業者は、変更が本発明の範囲から逸脱することなく行われ得ることを認めることになる。詳細な記載が例示として見なされることと、すべての均等物を含む添付の請求項が本発明の範囲を定義するように意図されていることとが、意図されている。
【符号の説明】
【００６５】
１  包みシート
２  内面
３  外面
４  縁帯域
５  内側縁部
６  外側縁部
７  外側縁部
８  内側縁部
９  第１の折り畳み軸
１０  第１の領域
１１  第２の領域
１２  第１の再封止可能な接着剤
１３  第２の接着剤
１４  切断軸
１５  剥離ライナ
１６  包みに面する面
１７  使用者に面する面
１８  衛生物品
１００  包みシート
１０２  内面
１０５、１０５’  内側縁部
１０６、１０６’  外側縁部
１０９  第１の折り畳み軸
１０９’  第２の折り畳み軸
１１０  第１の領域
１１１  第２の領域
１１２  第３の領域
１１５  剥離ライナ
１１６  包みに面する面
１１７  使用者に面する面
２００  包みシート
２０２  内面
２０４’  第１の横断縁帯域
２０５、２０５’  内側縁部
２０６、２０６’  外側縁部
２０７  外側縁部
２０８  内側縁部
２０９  第１の折り畳み軸
２０９’  第２の折り畳み軸
２１０  第１の領域
２１１  第２の領域
２１２  第３の領域
２１５  剥離ライナ
２１６  包みに面する面
２１７  使用者に面する面
２１８  衛生物品
【図１】
2017524409.tif 000003
【図２】
2017524409.tif 000004
【図３】
2017524409.tif 000005
【図４】
2017524409.tif 000006
【図５】
2017524409.tif 000007
【図６】
2017524409.tif 000008
【図７】
2017524409.tif 000009
【図８】
2017524409.tif 000010
【手続補正書】
【提出日】平成27年9月10日(2015.9.10)
【手続補正１】
【補正対象書類名】特許請求の範囲
【補正対象項目名】全文
【補正方法】変更
【補正の内容】
【特許請求の範囲】
【請求項１】
包みシート（１、１００、２００）の連続ウェブから、衛生物品のための包み材料を形成するための方法であって、各々の包みシート（１、１００、２００）が内面（２、１０２、２０２）と外面（３、１０３、２０３）とを有し、前記内面（２、１０２、２０２）が、内側縁部（５、１０５、２０５、８、１０８、２０８）と外側縁部（６、１０６、２０６、７、１０７、２０７）とを備える縁帯域（４、１０４、２０４）を備え、前記包みシート（１、１００、２００）が、少なくとも１つの第１の折り畳み軸（９、１０９、２０９）を有し、前記第１の折り畳み軸（９、１０９、２０９）が前記包みシート（１、１００、２００）を第１の領域（１０、１１０、２１０）と第２の領域（１１、１１１、２１１）とに分割し、前記第１の領域（１０、１１０、２１０）が第１の中央部を備え、前記第２の領域（１１、１１１、２１１）が第２の中央部を備え、
前記方法は、
ａ．前記第１の領域（１０、１１０、２１０）の前記縁帯域の前記内側縁部（５、１０５、２０５）および前記外側縁部（６、１０６、２０６）の一方に第１の再封止可能な接着剤（１２）を提供するステップであって、そのため、前記第１の領域（１０、１１０、２１０）の前記縁帯域の前記内側縁部（５、１０５、２０５）および前記外側縁部（６、１０６、２０６）の他方には接着剤がない、ステップａと、
ｂ．前記第２の領域（１１、１１１、２１１）の前記縁帯域の前記内側縁部（８、１０８、２０８）および前記外側縁部（７、１０７、２０７）の一方に第１の再封止可能な接着剤（１２）を提供するステップであって、そのため、前記第２の領域（１１、１１１、２１１）の前記縁帯域の前記内側縁部（８、１０８、２０８）および前記外側縁部（７、１０７、２０７）の他方には、前記第１の領域（１０）の前記縁帯域と相補的なように接着剤がない、ステップｂと、
ｃ．前記第１の領域（１０、１１０、２１０）の前記第１の中央部および前記第２の領域（１１、１１１、２１１）の前記第２の中央部の少なくとも一方に第２の接着剤（１３）を提供するステップｃと、
ｄ．包みに面する面（１６、１１６、２１６）と使用者に面する面（１７、１１７、２１７）とを有する剥離ライナ（１５、１１５、２１５）を提供するステップと、
ｅ．前記剥離ライナ（１５、１１５、２１５）の前記包みに面する面（１６、１１６、２１６）の少なくとも一部分が、前記第２の接着剤（１３）を備える少なくとも前記第１の中央部および前記第２の中央部において、前記第２の接着剤（１３）を用いて、前記包みシート（１、１００、２００）の前記内面（２、１０２、２０２）に恒久的に付着されることになるように、前記剥離ライナ（１５、１１５、２１５）の前記包みに面する面（１６、１１６、２１６）を前記包みシート（１、１００、２００）の前記内面（２、１０２、２０２）と接触させるステップｄと、
を含み、
前記ステップａ〜ｃが同時に実施されることを特徴とする方法。
【請求項２】
ｆ．衛生物品（１８、１１８、２１８）を前記剥離ライナ（１５、１１５、２１５）の前記使用者に面する面（１７、１１７、２１７）に解放可能に固定するステップｆをさらに含む、請求項１に記載の方法。
【請求項３】
ステップｆがステップｅの前に行われる、請求項１または２のいずれか一項に記載の方法。
【請求項４】
ｇ．剥離ライナの使用者に面する面（１７、１１７、２１７）に第３の再封止可能な接着剤を提供するステップをさらに含み、
ステップｇがステップｆの前に行われる、請求項１から３のいずれか一項に記載の方法。
【請求項５】
ｈ．前記第１の領域（１０、１１０、２１０）において前記第１の再封止可能な接着剤を担持する縁部が前記第２の領域（１１、１１１、２１１）において前記接着剤のない縁部と接触させられ、前記第２の領域（１１、１１１、２１１）において前記第１の再封止可能な接着剤を担持する縁部が前記第１の領域（１０、１１０、２１０）において前記接着剤のない縁部と接触させられるように、前記包みシート（１、１００、２００）を前記第１の折り畳み軸（９、１０９、２０９）周りで折り畳むステップｈをさらに含む、請求項１から４のいずれか一項に記載の方法。
【請求項６】
前記包みシート（１００、２００）が、前記シートを前記第１の領域（１１０、２１０）と前記第２の領域（１１１、２１１）と第３の領域（１１２、２１２）とに分割する第１および第２の折り畳み軸（１０９、１０９’、２０９、２０９’）を有し、前記方法が、
ｉ．前記第３の領域（１１２、２１２）の前記縁帯域の一部分（１０５’、２０５’、１０６’、２０６’）に前記第１の再封止可能な接着剤（１２）を提供するステップと、
ｊ．前記第３の領域（１１２、２１２）の前記内面が前記第１の領域（１１０、２１０）の前記外面と接触させられるように、前記包みシートを前記第２の折り畳み軸（１０９’、２０９’）周りで折り畳むステップｉと、
をさらに含み、
ステップｉがステップａ〜ｃと同時に実施され、ステップｊがステップｈの後に実施される、請求項１から５のいずれか一項に記載の方法。
【請求項７】
材料の前記シートが実質的に長方形のものであり、長手方向縁と、第１および第２の横断縁と、角部とを備え、材料の前記シートの前記第１および第２の領域の前記縁帯域が前記長手方向縁に沿って配置され、横断縁帯域が前記第１および第２の横断縁に沿って配置される、請求項１から６のいずれか一項に記載の方法。
【請求項８】
ｋ．前記包みシート（２００）の前記第１および第２の横断縁帯域（２０４’）の少なくとも一方に前記第１の再封止可能な接着剤（１２）を提供するステップｋをさらに含む、請求項７に記載の方法。
【請求項９】
ステップｋが前記ステップａ〜ｃと同時に実施される、請求項８に記載の方法。
【請求項１０】
前記角部のうちの少なくとも１つが、把持タブが形成されるように接着剤のない、請求項７から９のいずれか一項に記載の方法。
【請求項１１】
前記第１の再封止可能な接着剤（１２）および前記第３の再封止可能な接着剤が感圧ホットメルト接着剤であり、前記第２の接着剤（１３）が構造用接着剤である、請求項１から１０のいずれか一項に記載の方法。
【請求項１２】
前記剥離ライナ（１５、１１５、２１５）が、紙、不織布、またはプラスチック膜材料から製造される、請求項１から１１のいずれか一項に記載の方法。
【請求項１３】
前記剥離ライナ（１５、１１５、２１５）が、前記剥離ライナ（１５、１１５、２１５）の使用者に面する面（１７、１１７、２１７）においてシリコン被覆される、請求項１から１２のいずれか一項に記載の方法。
【請求項１４】
前記剥離ライナ（１５、１１５、２１５）の長手方向の延長が、前記包みシート（１、１００、２００）の長手方向の延長の６０〜１００％である、請求項１から１３のいずれか一項に記載の方法。
【請求項１５】
前記シート（１、１００、２００）および／または前記剥離ライナ（１５、１１５、２１５）が、不透明である、および／または、印刷を含む、請求項１から１４のいずれか一項に記載の方法。
【国際調査報告】
2017524409.tif 000011
2017524409.tif 000012
2017524409.tif 000013
2017524409.tif 000014
2017524409.tif 000015
2017524409.tif 000016
2017524409.tif 000017